(57)【要約】【課題】  ガイドレール等をマンホールのメンテナンス時に一時的に簡単，確実に設置することができると共にマンホール内でのガイドレール等の腐食を防止し、作業者が安全に作業できるマンホール内の作業安全装置を提供する。【解決手段】  ガイドレール１によってガイドされる落下防止用安全器２を有するマンホール内の作業安全装置において、マンホールのメンテナンス時に、落下防止用安全器のガイドレールをマンホール内のステップ５又はマンホール壁面４に固定される取付具３により取り付けられるようにしたマンホール内の作業安全装置。【選択図】図１
2011084985.tif 000002
【特許請求の範囲】
【請求項１】
ガイドレールによってガイドされる落下防止用安全器を有するマンホール内の作業安全装置において、マンホールのメンテナンス時に、落下防止用安全器のガイドレールをマンホール内のステップ又はマンホール壁面に固定される取付具により取り付けられるようにしたことを特徴とするマンホール内の作業安全装置。
【請求項２】
前記ガイドレールをＩ又はＨ形材で構成し、前記取付具を、断面コ字状で、その上下面に係止鉤の基部を形成し、側面にねじ孔を穿設し、前記係止鉤をＩ又はＨ形材の鍔部に係止させ、前記ねじ孔に螺装したボルトで取付具をステップに固定したことを特徴とする請求項１に記載のマンホール内の作業安全装置。
【請求項３】
ガイドレールをステップの足踏部に固定したことを特徴とする請求項２に記載のマンホール内の作業安全装置。
【請求項４】
ガイドレールをステップの側部に固定したことを特徴とする請求項２に記載のマンホール内の作業安全装置。
【請求項５】
前記ガイドレールをＩ又はＨ形材で構成し、前記取付具を、断面Ｌ字状で、その一辺に係止鉤の基部を形成すると共に取付具連結ねじ孔を穿設し、その他辺にボルト長孔を穿設し、前記係止鉤をＩ又はＨ形材の鍔部に係止させ、前記取付具連結ねじ孔に螺装したボルトで取付具を連結し、前記ボルト長孔に挿通したアンカーボルトにより取付具をマンホール壁面に固定したことを特徴とする請求項１に記載のマンホール内の作業安全装置。
【発明の詳細な説明】
【技術分野】
【０００１】
本発明は、ガイドレールによってガイドされる落下防止用安全器を有するマンホール内の作業安全装置に関するものである。
【背景技術】
【０００２】
従来，ガイドレールによってガイドされる落下防止用安全器を有する作業安全装置であって、鉄塔等の高所作業用として安全帯に連結されるロープとガイドレールを挟持する安全器とからなるものがある（例えば特許文献１参照。）。
【先行技術文献】
【特許文献】
【０００３】
【特許文献１】特開２００２ー３１５８４２号公報
【発明の概要】
【発明が解決しようとする課題】
【０００４】
ところで、前記先行技術の作業安全装置では、ガイドレールが常時鉄塔等の昇降路に取り付けられていて、雨風等によるガイドレールの錆や傷で落下防止用安全器が安全確実に動かない虞があるという問題がある。
【０００５】
本発明は、従来の技術の有するこのような問題点に鑑みてなされたものであり、その目的とするところは、ガイドレール等をマンホールのメンテナンス時に一時的に簡単，確実に設置することができると共にマンホール内でのガイドレール等の腐食を防止し、作業者が安全に作業できるマンホール内の作業安全装置を提供しようとするものである。
【課題を解決するための手段】
【０００６】
上記目的を達成するために、本発明におけるマンホール内の作業安全装置は、マンホールのメンテナンス時に、落下防止用安全器のガイドレールをマンホール内のステップ又はマンホール壁面に固定される取付具により取り付けられるようにしたものである。
【０００７】
また、請求項２では前記ガイドレールをＩ又はＨ形材で構成し、前記取付具を、断面コ字状で、その上下面に係止鉤の基部を形成し、側面にねじ孔を穿設し、前記係止鉤をＩ又はＨ形材の鍔部に係止させ、前記ねじ孔に螺装したボルトで取付具をステップに固定したものである。
【０００８】
また、請求項３ではガイドレールをステップの足踏部に固定したものである。
【０００９】
また、請求項４ではガイドレールをステップの側部に固定したものである。
【００１０】
また、請求項５では前記ガイドレールをＩ又はＨ形材で構成し、前記取付具を、断面Ｌ字状で、その一辺に係止鉤の基部を形成すると共に取付具連結ねじ孔を穿設し、その他辺にボルト長孔を穿設し、前記係止鉤をＩ又はＨ形材の鍔部に係止させ、前記取付具連結ねじ孔に螺装したボルトで取付具を連結し、前記ボルト長孔に挿通したアンカーボルトにより取付具をマンホール壁面に固定したものである。
【発明の効果】
【００１１】
請求項１に記載のマンホール内の作業安全装置は、ガイドレール等をマンホールのメンテナンス時に一時的に簡単，確実に設置することができると共にマンホール内でのガイドレール等の腐食を防止し、作業者が安全に作業できるマンホール内の作業安全装置となる。
【００１２】
また、請求項２に記載のマンホール内の作業安全装置は、前記請求項１の効果に加え、ガイドレール等をマンホールのメンテナンス時に一時的により簡単，確実にステップに固定することができるマンホール内の作業安全装置となる。
【００１３】
また、請求項３に記載のマンホール内の作業安全装置は、前記請求項２の効果に加え、作業者がより安全に作業できるマンホール内の作業安全装置となる。
【００１４】
また、請求項４に記載のマンホール内の作業安全装置は、前記請求項２の効果に加え、昇降時にガイドレール等が邪魔にならず、作業者がより安全に作業，昇降できるマンホール内の作業安全装置となる。
【００１５】
また、請求項５に記載のマンホール内の作業安全装置は、前記請求項１の効果に加え、ガイドレール等をマンホールのメンテナンス時に一時的により簡単，確実に設置することができると共に昇降時にガイドレール等がより邪魔にならず、作業者がより安全に作業，昇降できるマンホール内の作業安全装置となる。
【図面の簡単な説明】
【００１６】
【図１】本発明に係るマンホール内の作業安全装置のガイドレールをステップの足踏部に固定する取り付け説明斜視図であり、（ａ）は取り付け前、（ｂ）は取り付け後の図である。
【図２】マンホール内の作業安全装置のガイドレールをステップの側部に固定する取り付け説明斜視図であり、（ａ）は取り付け前、（ｂ）は取り付け後の図である。
【図３】マンホール内の作業安全装置のガイドレールをマンホール壁面に固定する取り付け説明斜視図であり、（ａ）は取り付け前、（ｂ）は取り付け後の図である。
【発明を実施するための形態】
【００１７】
マンホールのメンテナンス時に、落下防止用安全器のガイドレールをマンホール内のステップ又はマンホール壁面に固定される取付具により取り付けられるようにしたマンホール内の作業安全装置である。
【実施例１】
【００１８】
図１ないし図３は本発明の一実施例に関するものであり、マンホール内の作業安全装置は、図１に示すようにマンホール壁面に固定されたステップの足踏部、図２に示すようにマンホール壁面に固定されたステップの側部部又は図３に示すようにマンホール壁面に固定されたステップの近傍のマンホール壁面に固定可能である。
【００１９】
図において、１はガイドレールであり、該ガイドレール１は強化プラスチック製で、マンホールのメンテナンス時にマンホール内に搬入され、落下防止用安全器２をレールでガイドするように形成されている。
また、３又は１２は前記ガイドレール１の取付具である。そして、４はマンホールの壁面でマンホールの横断面の一部壁面を表示したものであり、該マンホール壁面４にはその上下方向の一定の間隔（例えば３００ｍｍ）でステップ５が固定されている。
【００２０】
そして、取付具３又は取付具１２はポリプロピレン製であって、該取付具３，３又は取付具１２，１２によってマンホールのメンテナンス時に前記ガイドレール１を挟持し、図１及び図２に示すようにマンホール壁面４に固定されたステップ５又は図３に示すようにマンホール壁面４にボルト等で取付具３，３又は取付具１２，１２は固定されるものである。
【００２１】
以上のような構成からなるマンホール内の作業安全装置は、マンホールのメンテナンス時にガイドレール等を一時的に簡単，確実に設置することができ、前記ガイドレール１は強化プラスチック製であり取付具３又は取付具１２はポリプロピレン製であることから重量は軽く、マンホール内での腐食も防止するものである。
【００２２】
また、ガイドレール１に挿着した落下防止用安全器２にマンホール作業者の安全帯ベルトから延びるフック（図示せず。）を掛けることにより、万が一事故等が起きた場合には落下防止用安全器２が瞬時にストッパーとなり作業者の落下を防止し、作業者はステップ５上の作業を安心して行えるものとなる。
【実施例２】
【００２３】
図１（ａ）及び図２（ａ）に示すように、前記ガイドレール１をＩ又はＨ形材で複数の形材を順次重積して一本のレールを構成し、そのガイドレール１の単片の長さを約３００ｍｍにしたものである。
ガイドレール１の長さを約３００ｍｍにした理由は、マンホール内に配置されるステップ５，５間は前述のように通常３００ｍｍ間隔で配置されていることより、一つのステップ５にガイドレール１の略中間部を固定することでガイドレール１，１，…は希望の長さに順次接続されるものとなるからである。このようにすることにより、軽量なレール素材がマンホール内に簡単に搬入，搬出されるものとなる。
【００２４】
また、前記取付具３は、断面コ字状で、その上下面に係止鉤６，６の基部を形成し、側面にねじ孔７が穿設されている。
そして、前記取付具３の上下面の係止鉤６，６をガイドレール１のＩ又はＨ形材の鍔部７に係止させ、前記取付具３に穿設されたねじ孔８に蝶ボルト９を螺装して取付具３をステップ５に固定したものである。
【００２５】
本実施例のような構成からなるマンホール内の作業安全装置は、一対の取付具３，３をガイドレール１のＩ又はＨ形材の鍔部７，７に対向して挟持し、さらに各取付具３の上下面の係止鉤６，６がガイドレール１のＩ又はＨ形材の鍔部７に対して二点支持であることから確実にガイドレール１を取付具３，３に取り付けることができると共に各取付具３に穿設されたねじ孔８に蝶ボルト９を螺装して、該蝶ボルト９を締め付けることにより各取付具３の係止鉤６，６はガイドレール１に強固に係止され、しかも取付具３，３を簡単で強力にステップ５に固定できるものとなる。
【実施例３】
【００２６】
図１（ｂ）に示すように、前記ガイドレール１をステップ５の前面の足踏部１０に前記取付具３，３を用いて固定したものである。
【００２７】
このようにガイドレール１がステップ５の前面の足踏部１０に固定されることにより、マンホール作業者の安全帯ベルトから延びるフック（図示せず。）を短い距離でガイドレール１に挿着した落下防止用安全器２に掛けることができるのでステップ５上で作業者はより安全に作業できるものとなる。
【実施例４】
【００２８】
図２（ｂ）に示すように、前記ガイドレール１をステップ５の側面の側部１１，１１の一方でその側面側に前記取付具３，３を用いて固定したものである。
【００２９】
このようにガイドレール１がステップ５の側面の側部１１，１１の一方でその側面側に前記取付具３，３を用いてに固定されることにより、ガイドレール１等が作業者の邪魔にならず、作業者がステップ５上でより安全に作業，昇降できるものとなる。
【実施例５】
【００３０】
また、図３（ａ）に示すように、前記ガイドレール１をＩ又はＨ形材で複数の形材を順次重積して一本のレールを構成し、取付具１２は、断面Ｌ字状で、その一辺に係止鉤１３の基部を形成すると共に取付具連結ねじ孔１４が穿設され、その他辺にボルト長孔１５が穿設されている。
そして、前記取付具１２の係止鉤１３をガイドレール１のＩ又はＨ形材の鍔部７に係止させ、前記取付具１２に穿設された取付具連結ねじ孔１４に蝶ボルト９とナット１６とで一対の取付具１２，１２を連結し、前記ボルト長孔１５にアンカーボルト１７を挿通して打ち込むことにより取付具１２，１２をマンホール壁面４に固定したものである。
【００３１】
本実施例のような構成からなるマンホール内の作業安全装置は、一対の取付具１２，１２の長めに形成された係止鉤１３，１３をガイドレール１のＩ又はＨ形材の鍔部７，７に対向して挟持し、各取付具１２に穿設された取付具連結ねじ孔１４に蝶ボルト９とナット１６とで取付具１２，１２を連結させ、該蝶ボルト９を締め付けることにより各取付具１２の係止鉤１３，１３はガイドレール１に強固に係止される。
また、各取付具１２に穿設されたボルト長孔１５にアンカーボルト１７を挿通して打ち込むことにより、取付具１２，１２をより簡単，強固にステップ５の近傍のマンホール壁面４に固定できるものとなる。
さらに、ステップ５の近傍のマンホール壁面４にガイドレール１を固定することにより、ガイドレール１等が作業者により邪魔とならず、作業者がステップ５上でより安全に作業，昇降できるものとなる。
【符号の説明】
【００３２】
１                  ガイドレール
２                  落下防止用安全器
３，１２            取付具
４                  マンホール壁面
５                  ステップ
６，１３            係止鉤
７                  鍔部
８                  ねじ孔
９                  蝶ボルト
１０                足踏部
１１                側部
１４                取付具連結ねじ孔
１５                ボルト長孔
１７                アンカーボルト
【図１】
2011084985.tif 000003
【図２】
2011084985.tif 000004
【図３】
2011084985.tif 000005